(57)【要約】      （修正有）【課題】長尺座をソファの左右いずれかの袖側に入れ換え可能であり、必要であれば中央の座とも、他の任意の座とも入れ換え可能とし、しかも、このような入れ換えを購入者が容易に行うことのできるシェーズロングタイプのソファを提供する。【解決手段】左右の袖２Ｒ、２Ｌと、その間に設置された二以上の座と、背凭れを備え、座と背凭れは一体又は分離可能であり、座は標準座３Ａとソファよりも前方まで突出する長さの長尺座３Ｂであるシェーズロングタイプソファ１において、座と袖が座−袖連結具７Ａ、７Ｂにより連結され、座−袖連結具は座の底面側から操作して取外しできるように座の底面側に設けられ、座と袖は座−袖連結具を座から取外すと離脱でき、長尺座と標準座は座と袖の離脱後に配置替え可能であり、配置換え後の座と袖は座−袖連結具により連結可能である。【選択図】図１
2010125197.tif 000002
【特許請求の範囲】
【請求項１】
左右の袖と、その間に設置された二以上の座と、背凭れを備え、座と背凭れは一体又は分離可能であり、座は標準座とその前後長よりも長く且つソファ前面よりも前方まで突出する長さの長尺座であるシェーズロングタイプソファにおいて、
前記座と袖が座−袖連結具により連結され、座−袖連結具は座の底面側から操作して取外しできるように座の底面側に設けられ、座と袖は座−袖連結具を座から取外すと離脱でき、長尺座と標準座は座と袖の離脱後に配置替え可能であり、配置換え後の座と袖は座−袖連結具により連結可能であることを特徴とするシェーズロングタイプソファ。
【請求項２】
請求項１記載のシェーズロングタイプソファにおいて、
座−袖連結具は座側連結部と袖側連結部を備え、座側連結部が台輪の底面に外部から脱着操作可能に取付けられ、袖側連結部が袖枠下部に取付けられ、座側連結部を座の底面から取外すと座と袖が離脱可能であることを特徴とするシェーズロングタイプソファ。
【請求項３】
請求項１又は請求項２記載のシェーズロングタイプソファにおいて、
袖と背凭れが袖−背凭れ連結具により連結され、袖−背凭れ連結具は背凭れ前面側から操作して取外しできるように背凭れの前面側に取付けられ、袖−背凭れ連結具を背凭れから取外すと袖と背凭れが離脱可能であり、袖と背凭れを離脱させ座と袖を離脱させると袖は座と背凭れから離脱可能であり、前記座と背凭れからの袖の離脱後に長尺座と標準座は配置換えが可能であり、配置換え後の長尺座と標準座と袖は座−袖連結具により連結可能であり、背凭れと袖は袖−背凭れ連結具により連結可能であることを特徴とするシェーズロングタイプソファ。
【請求項４】
請求項３記載のシェーズロングタイプソファにおいて、
袖−背凭れ連結具は背凭れ側連結部と袖側連結部を備え、背凭れ側連結部が背枠前面側に外部から脱着操作可能に取付けられ、袖側連結部が袖枠の上部に取付けられ、背凭れ側連結部を背枠から取外すと背凭れと袖が離脱可能であることを特徴とするシェーズロングタイプソファ。
【請求項５】
請求項３又は請求項４記載のシェーズロングタイプソファにおいて、袖−背凭れ連結具の背凭れ側連結部が背凭れクッションの背面に隠れて外部から見えない箇所に配置されていることを特徴とするシェーズロングタイプソファ。
【発明の詳細な説明】
【技術分野】
【０００１】
本願発明は座の前後長が標準長である標準座と、前後長がそれよりも長い長尺座を備えたシェーズロングタイプソファに関する。
【背景技術】
【０００２】
シェーズロングタイプのソファは古くからあり一時的に市場であまり見掛けなくなったが、最近になって人気が復活している。従来のシェーズロングタイプソファは、長尺座がソファの左右の袖のいずれか一方側に固定されているため、新規購入時には使用する住宅の間取り（室内の掃き出し位置、ベランダの位置等）に合わせて左側固定のものか右側固定のものを選択していた。
【発明の開示】
【発明が解決しようとする課題】
【０００３】
しかし、既存のシェーズロングタイプソファの座は固定式であるため、室内で配置換えすると長尺座の先端側がベランダや掃き出し口側に位置して、ベランダや掃き出し口への出入りの邪魔になる、室内歩行の邪魔になる、他の家具が配置しにくくなるといったことが生じる。また、引越しにより間取りが変わっても前記と同様のことがある。これら理由から、シェーズロングタイプソファの購入が見送られることもある。
【課題を解決するための手段】
【０００４】
本願発明は長尺座をソファの左右いずれかの袖側に入れ換え可能であり、必要であれば中央の座とも、他の任意の座とも入れ換え可能とし、しかも、このような入れ換えを購入者が容易に行うことのできるシェーズロングタイプのソファを提供するものである。また、ソファはインテリアの一つであることから、座の配置交換を行うための交換用連結治具が外から見えず、外観が損なわれないようにしたシェーズロングタイプのソファを提供するものでもある。
【０００５】
本願発明のシェーズロングタイプソファは、左右の袖と、その間に設置された二以上の座と、背凭れを備えたものであり、座と背凭れは一体とすることも又は分離可能とすることもでき、座は標準座とその前後長よりも長く且つソファ本体前面よりも前方まで突出する長さの長尺座である。
【０００６】
本願発明のソファは前記構成のシェーズロングタイプソファであり、請求項１記載のように、前記座と袖が座−袖連結具により連結され、座−袖連結具は座の底面側から操作して取外しできるように座の底面側に設けられ、座と袖は座−袖連結具を座から取外すと離脱でき、長尺座と標準座は座と袖の離脱後に配置替え可能であり、配置換え後の座と袖は座−袖連結具により連結可能としてある。この場合、請求項２記載のように、座−袖連結具が座側連結部と袖側連結部を備え、座側連結部が台輪の底面に外部から脱着操作可能に取付けられ、袖側連結部が袖枠下部に取付けられ、座側連結部を座の底面から取外すと座と袖が離脱可能とすることができる。
【０００７】
本願発明のソファは、前記シェーズロングタイプソファにおいて、請求項３記載のように、袖と背凭れが袖−背凭れ連結具により連結され、袖−背凭れ連結具は背凭れ前面側から操作して取外しできるように背凭れの前面側に取付けられ、袖−背凭れ連結具を背凭れから取外すと袖と背凭れが離脱可能であり、袖と背凭れを離脱させ、座と袖を離脱させると、袖は座と背凭れから離脱可能であり、前記座と背凭れからの袖の離脱後に、長尺座と標準座は配置換えが可能であり、配置換え後の長尺座と標準座と袖は座−袖連結具により連結可能であり、背凭れと袖は袖−背凭れ連結具により連結可能とすることもできる。この場合、請求項４記載のように、袖−背凭れ連結具が袖側連結部と背凭れ側連結部を備え、背凭れ側連結部が背枠前面側に外部から脱着操作可能に取付けられ、袖側連結部が袖枠の上部に取付けられ、背凭れ側連結部を背枠から取外すと袖と背凭れが離脱可能とすることもできる。請求項５記載のように、前記シェーズロングタイプソファにおいて、袖−背凭れ連結具の背凭れ側連結部が背凭れクッションの背面に隠れて外部から見えない箇所に配置されるようにすることができる。
【発明の効果】
【０００８】
本願発明のシェーズロングタイプソファは次のような効果がある。
（１）標準座と長尺座の配置を入れ換え可能であるため、ソファを配置する住宅の間取りや、室内のレイアウト等に合わせて標準座と長尺座を入れ換えることができ、室内の歩行やベランダや掃き出し口への出入り等に支障のない配置が可能となる。このため、購入時に室内の間取りや配置換えなどを考慮せずに迷わず購入することが出来、シェーズロングタイプソファの需要喚起にも繋がる。
（２）室内空間に余裕がある場合は気分転換のために標準座と長尺座の配置を入れ換えることもできる。
（３）転居時に移転先の家を選ぶ場合に、間取りが長尺座の配置に制約されないので、移転先の家の選択枝が広がる。
（４）座と袖が座−袖連結具だけで連結されている場合は、座−袖連結具による連結を解除するだけで座と袖を離脱でき、標準座と長尺座の入れ換えができるので入れ換え作業が容易である。
（５）座と袖が座−袖連結具で連結され、更に、袖と背凭れが袖−背凭れ連結具で連結されている場合は、袖と座、袖と背凭れの連結が強固になり、ソファ使用時に袖が安定する。また、座−袖連結具による座と袖の連結を解除し、袖−背凭れ連結具による袖と背凭れの連結を解除して、袖と座、袖と背凭れの連結を解除できるので、標準座と長尺座の入れ換え作業が容易である。
（６）座−袖連結具の座側を、座底面から取外したり座底面に連結したりすることができるため、ソファを後方（背凭れ側）に傾斜させてソファ底面を縦向きにすれば台輪と袖の離脱・連結作業を素人（ソファ購入者）でも手軽に行うことができ、家屋の間取りや室内のレイアウト等に合せて、標準座と長尺座を手軽に入れ換えることができる。
（７）座−袖連結具の座側が座の底部に配置され、袖−背凭れ連結具が背凭れクッションで隠れる位置に配置されているので、それら連結具がソファの外から見えず、体裁が悪くなることがない。
【発明を実施するための最良の形態】
【０００９】
（実施形態１：ソファの基本構成）
本願発明のシェーズロングタイプソファ（以下「ソファ」という。）の基本構成の一例を図１〜図６に基づいて説明する。
【００１０】
図１の正面図に示すように、ソファ１は右袖２Ｒと左袖２Ｌの間に二つ（二席分）の標準座３Ａと、一つ（一席分）の長尺座３Ｂが配置されている。長尺座３Ｂは図２の平面図に示すようにその前後長が標準座３Ａの前後長よりも長く且つソファ１の前面よりも前方まで突出する長さである。本願発明のソファ１では標準座３Ａは一つであっても三つ以上であってもよい。図１、２に示す標準座３Ａは二つ（二席分）を横に並べて一体化してある。二つの標準座３Ａは分離することもできる。長尺座３Ｂは一席分が一つになっている。
【００１１】
標準座３Ａと長尺座３Ｂには図３に示すように着座部４と背凭れ５があり、着座部４と背凭れ５が一体化されて分離できないようにしてある。着座部４と背凭れ５は図４のように別体にして分離可能であってもよい。ソファ１を使用する際には着座部４に座り、背凭れ５の前面に置かれたクッション６に背を凭れかけ、右袖２Ｒ又は左袖２Ｌに肘を乗せることができる。
【００１２】
図２の左袖２Ｌはその先端側底部と後方側（背凭れ側）底部が図２、図３に仮想線で示す座−袖連結具７Ａ、７Ｂにより長尺座３Ｂの台輪底部に連結され、上端側が長尺座３Ｂの背凭れ５の上端側に袖−背凭れ連結具８で連結されている。図２の右袖２Ｒも先端側底部と後方側（背凭れ側）底部が図２に仮想線で示す座−袖連結具７Ａ、７Ｂにより標準座３Ａの台輪底部に連結され、上端側が標準座３Ａの背凭れ５の上端側に袖−背凭れ連結具８で連結されている。
【００１３】
図５に示すように左袖２Ｌは長尺座３Ｂから、右袖２Ｒは標準座３Ａから夫々離脱させることができる。この離脱状態で図２の長尺座３Ｂが左端、標準座３Ａが右端の配置から、図６のように長尺座３Ｂを右端に、標準座３Ａを左端に入れ換えることができる。この離脱は次のようにして行うことができる。
【００１４】
図３の左袖２Ｌと長尺座３Ｂの離脱は、夫々の底部を連結している図２の二箇所の座−袖連結具７Ａ、７Ｂの座側を長尺座３Ｂの底面側から操作して長尺座３Ｂの底面から外し、クッション６を外して背凭れ５の正面側から操作して図２の袖−背凭れ連結具８の背凭れ側を背凭れ５から外し、その状態で左袖２Ｌを左側（図５正面図では右方）に引いて行う。右袖２Ｒの標準座３Ａからの離脱も同様にして行うことができる。
【００１５】
（実施形態１：座と袖と背凭れの構造）
右袖２Ｒと左袖２Ｌは通常のソファのそれらと同様に、図７（ａ）（ｂ）に示す枠組み構造の袖枠９の外周にシート（図示を省略してある）が張られ、その外側にクッション材が被せられ、その外側が表面材でカバーされている。標準座３Ａの着座部４も通常のソファのそれらと同様に、図８に示す枠組み構造の標準座用の台輪１０の外周にシート（図示を省略してある）が張られ、その外側にクッション材が被せられ、その外側が表面材でカバーされている。長尺座３Ｂの着座部４は通常のソファのそれらと同様に、図９（ａ）（ｂ）に示す枠組み構造の長尺座用の台輪（標準座用の台輪１０よりも前に長い）１０の外周にシート（図示を省略してある）が張られ、その外側にクッション材が被せられ、その外側が表面材でカバーされている。背凭れ５は通常のソファのそれらと同様に、図８、図９（ａ）（ｂ）に示す枠組み構造の背枠１１の外周にシート（図示を省略してある）が張られ、その外側にクッション材が被せられ、その外側が表面材でカバーされている。
【００１６】
（袖枠への座−袖連結具の取付け構造）
図７や図８に示すように、右袖２Ｒと左袖２Ｌの袖枠９の前方縦板１２の下部に前方用の座−袖連結具７Ａが、袖枠９の底板の後方部に後方用の座−袖連結具７Ｂが夫々取付けられている。前方用の座−袖連結具７Ａは図８に示すように横板１３Ａ（座側連結部）と縦板１３Ｂ（袖側連結部）を備えたＬ字型であり、横板１３Ａには着脱ボルト孔１４Ａが二箇所に設けられ、縦板１３Ｂには固定ボルト孔１４Ｂが四箇所に、中央部に位置合せ用ボルト孔１４Ｃが設けられている。後方用の座−袖連結具７Ｂは図８に示すように略平行な上横板１５Ａ（袖側連結部）と連結板１５Ｂと下横板１５Ｃ（座側連結部）を備えたＺ字型であり、連結板１５Ｂの長さは袖枠９の底板の板厚に略等しくしてある。上横板１５Ａには固定ボルト孔１４Ｂが四箇所に設けられ、下横板１５Ｃには着脱ボルト孔１４Ａが二箇所に設けられている。
座−袖連結具７Ａ、７Ｂの形状や大きさは図７や図８に示すものに限らず、前方用の座−袖連結具７ＡがＺ字型のものであってもよく、後方用の座−袖連結具７ＢがＬ字型のものであってもよい。また、その他座−袖連結具７Ａ、７ＢがＴ字型など他の形状であってもよく、座−袖連結具７Ａ、７Ｂの両方を兼ねるように前後に長い一つの座−袖連結具としてもよいし、３以上の、座−袖連結具を備えてもよい。
【００１７】
前方用の座−袖連結具７Ａは図７に示すように、縦板１３Ｂの４箇所の固定ボルト孔１４Ｂに固定ボルト１６を図１０のように差し込み、その固定ボルト１６にナットを締め付けることにより袖枠９の前方縦板１２に固定し、後方の座−袖連結具７Ｂはその上横板１５Ａの４箇所の固定ボルト孔１４Ｂに固定ボルト１６を差し込み、その固定ボルトにナットを締め付けることにより袖枠９に夫々固定されている。
【００１８】
（袖枠への袖−背凭れ連結具の取付け構造）
図７に示すように、袖枠９には袖−背凭れ連結具８が取付けられている。袖−背凭れ連結具８は係止板１７Ａ（座側連結部）と固定板１７Ｂ（袖側連結部）が略直角に付き合わされたＬ字型を呈しており、係止板１７Ａにはボルトが貫通される着脱ボルト孔１４Ａが一箇所に設けられ、固定板１７Ｂにはボルトが貫通される固定ボルト孔１４Ｂが二箇所に設けられている。着脱ボルト孔１４Ａは標準座３Ａや長尺座３Ｂのボルト位置が左右方向に多少ずれても連結できるように左右方向の長穴となっているが、ボルト位置の左右方向のずれに対応できれば大きな内径の円形穴であってもよい。
袖−背凭れ連結具８の形状や大きさは図７に示すものに限らず、背枠１１に沿って縦に長いものや、Ｔ字型のものであってもよい。
【００１９】
図７のように、袖−背凭れ連結具８は固定板１７Ｂに設けられた二箇所の固定ボルト孔１４Ｂにねじ込まれたボルト１６で袖枠９に固定され、係止板１７Ａの着脱ボルト孔１４Ａは背枠１１と連結するために使用される。図８や図９（ａ）（ｂ）に示すように背枠１１の内面には連結ブロック１８が取付けられている。連結ブロック１８には、袖−背凭れ連結具８と背枠１１を着脱ボルト孔１４Ａで連結するための雌ネジ１９（図８）が開口されている。この連結ブロック１８は、標準座３Ａ及び長尺座３Ｂが夫々の左右両側いずれにおいても袖枠９と連結できるように、背枠１１の左右両側面に取付けられている。図８の２０Ａはスプリングワッシャ、２０Ｂは平ワッシャである。
【００２０】
（台輪への連結プレートの取付け構造）
図８、図９（ａ）（ｂ）に示すように、台輪１０の底板２１の上面側（座−袖連結具７Ａ、７Ｂを宛がう面と反対側面）に連結プレート２２がボルト１６で固定されている。連結プレート２２にはナット２３が図１０に示すように隅肉溶接２４などの方法で固定されている。この連結プレート２２は標準座３Ａ、長尺座３Ｂの座−袖連結具７Ａ、７Ｂとボルトで連結するためのものである。ナット２３が溶接された連結プレート２２は図９（ａ）（ｂ）に示すように台輪１０の左右両側の底板２１の前方と後方に取付けて、標準座３Ａ、長尺座３Ｂの台輪１０のいずれをも袖枠９の座−袖連結具７Ａ、７Ｂと連結固定できるようにしてある。
【００２１】
（座と袖との連結構造）
左右の袖２Ｒ、２Ｌと標準座３Ａとの連結は図８のように袖枠９と台輪１０とを連結して、左右の袖２Ｒ、２Ｌと長尺座３Ｂとの連結は図９（ａ）（ｂ）のように袖枠９と台輪１０とを連結して、左右の袖２Ｒ、２Ｌと背凭れ５との連結は図８や図９（ａ）（ｂ）のように左右の袖枠９と背枠１１とを連結して行う。より具体的には次のようにして行う。
【００２２】
図８に示すように、袖枠９と標準座３Ａの台輪１０の固定は、袖枠９の底板に取付けられた前方の座−袖連結具７Ａの横板１３Ａの上面、及び後方の座−袖連結具７Ｂの下横板１５Ｃの上面に前記台輪１０の底板２１を載せ、横板１３Ａ、下横板１５Ｃの着脱ボルト孔１４Ａに、その下方（台輪１０の底面側）から着脱ボルト２５をスプリングワッシャ２０Ａ、平ワッシャ２０Ｂを介在させて差込み、その着脱ボルト２５にナット２３を螺合させることにより行う。
【００２３】
図９（ａ）に示すように、左袖の袖枠９と長尺座３Ｂの台輪１０との固定は、袖枠９の底板に取付けられた前方の座−袖連結具７Ａの横板１３Ａの上面及び後方の座−袖連結具７Ｂの下横板１５Ｃの上面に前記台輪１０の底板２１を載せ、横板１３Ａ、下横板１５Ｃの着脱ボルト孔１４Ａに、その下方（台輪１０の底面側）から着脱ボルト２５をスプリングワッシャ２０Ａ、平ワッシャ２０Ｂを介在させて差込み、その着脱ボルト２５にナット２３を螺合させることにより行う。図１の標準座３Ａと長尺座３Ｂを図６のように入れ換えて図９（ｂ）のように長尺座の台輪１０を右袖の袖枠９と固定する場合も図９（ａ）の場合と同様に着脱ボルト２５にナット２３を螺合させることにより行う。
【００２４】
前記のように連結した前方の座−袖連結具７Ａの縦板１３Ｂはソファ表面材の中に隠れ、横板１３Ａは台輪１０の底板２１の下に隠れて、座−袖連結具７Ａは使用時に外から見えず、後方の座−袖連結具７Ｂの上横板１５Ａ及び連結板１５Ｂはソファ表面材の中に隠れ、下横板１５Ｃは台輪１０の底板２１の下に隠れるため、両座−袖連結具７Ｂはソファの使用時に外から見えず、インテリアとしてのソファ１のデザインが損なわれない。
【００２５】
（背凭れと袖との連結構造）
右袖２Ｒと標準座３Ａ、左袖２Ｌと長尺座３Ｂとの固定は、図８に示した前記座−袖連結具７Ａ、７Ｂによる連結固定に加え、図８のように袖枠９に取付けられた袖−背凭れ連結具８の係止板１７Ａに背凭れ５を宛がい、着脱ボルト孔１４Ａに着脱ボルト２５を差し込んで背枠１１と袖−背凭れ連結具８を連結することにより行う。このように連結した袖−背凭れ連結具８の固定板１７Ｂはソファ表面材の中に隠れ、係止板１７Ａはクッション６の下に隠れるため、ソファの使用時に袖−背凭れ連結具８が見えず、インテリアとしてのソファ１のデザインが損なわれない。
なお本願発明において、袖−背凭れ連結具８は図８に示すように片袖あたりに１箇所であってもよいし、２箇所以上あってもよく、左右の袖に設けられる袖−背凭れ連結具８の数が異なっていてもよい。
また、右袖２Ｒ又は左袖２Ｌと、標準座３Ａ又は長尺座３Ｂとの固定は、図３に示す袖−背凭れ連結具８を用いず、座−袖連結具７Ａ及び７Ｂのみによって行ってもよい。
【００２６】
（本願発明のソファの使用例）
本願発明のソファ１を使用する場合は、図１〜図３に示すように、右袖２Ｒと標準座３Ａが固定され、左袖２Ｌと長尺座３Ｂが固定され、中央の標準座３Ａは右側の標準座３Ａに連結固定されている。中央の標準座３Ａと長尺座３Ｂは連結されていない。背凭れ５の前面にはクッション６が設置されている。この状態で標準座３Ａ又は長尺座３Ｂに座って使用する。本願発明では右側の標準座３Ａと中央の標準座３Ａは離脱可能に固定されていてもよく、連結されずに分離自由であってもよい。中央の標準座３Ａと長尺座３Ｂは離脱可能に固定されていても構わない。
【００２７】
（座の入れ換え）
本願発明のソファ１の標準座３Ａと長尺座３Ｂの配置交換は次に示す手順で行う。
（１）長尺座３Ｂのクッション６を外し、左袖２Ｌの袖−背凭れ連結具８の係止板１７Ａに設けられた着脱ボルト孔１４Ａで固定されている着脱ボルト２５を緩めて外す。
（２）同様に、標準座３Ａのクッション６を外し、右袖２Ｒの袖−背凭れ連結具８の係止板１７Ａに設けられた着脱ボルト孔１４Ａで固定されている着脱ボルト２５を緩めて外す。
（３）ソファ１を倒して背凭れ５を縦向きにし、左袖２Ｌの袖枠９の底板に取付けられた前方の座−袖連結具７Ａの横板１３Ａに設けられた２箇所の着脱ボルト孔１４Ａで、長尺座３Ｂの左端の底板２１にあるナット２３に螺合された着脱ボルト２５を緩めて外す。
（４）後方の座−袖連結具７Ｂの下横板１５Ｃに設けられた２箇所の着脱ボルト孔１４Ａで、長尺座３Ｂの左端の底板２１にあるナット２３に螺合された着脱ボルト２５を緩めて外す。このように、前方の座−袖連結具７Ａと後方の座−袖連結具７Ｂの連結を解除し、左袖２Ｌと長尺座３Ｂの連結を解除する。
（５）前記と同様に、右袖２Ｒの前方の座−袖連結具７Ａ及び後方の座−袖連結具７Ｂの着脱ボルト２５を、標準座３Ａの右端の底板２１にあるナット２３から緩めて外して、前方の座−袖連結具７Ａと後方の座−袖連結具７Ｂの連結を解除し、右袖２Ｒと標準座３Ａの連結を解除する。
（６）前記連結の解除により図５に示すように右袖２Ｒと左袖２Ｌは、夫々標準座３Ａと長尺座３Ｂから外れる。
（７）前記離脱状態で標準座３Ａ（２席分）と長尺座３Ｂを抜き取って移動させて、図６の平面図に示すように長尺座３Ｂが右端に、標準座３Ａが左端になるよう配置交換することができる。
【００２８】
（座入れ換え後の連結固定）
（１）左袖２Ｌの袖枠９の底板に取付けられた座−袖連結具７Ａの横板１３Ａに設けられた２箇所の着脱ボルト孔１４Ａで、着脱ボルト２５を標準座３Ａの左端の底板２１にあるナット２３に螺合させて座−袖連結具７Ａを袖枠９の底板に連結する。
（２）同様に、左袖２Ｌの座−袖連結具７Ｂを標準座３Ａの左端の底板２１にあるナット２３に連結する。
（３）同じ要領で、右袖２Ｒの座−袖連結具７Ａ、７Ｂを長尺座３Ｂの右側の底板２１にあるナット２３に連結する。
（４）ソファ１を通常の向きに戻し、左袖２Ｌの袖−背凭れ連結具８の係止板１７Ａに設けられた着脱ボルト孔１４Ａで、着脱ボルト２５を締めて標準座３Ａの左側の連結ブロック１８に固定する。
（５）同様に、右袖２Ｒの袖−背凭れ連結具８の係止板１７Ａに設けられた着脱ボルト孔１４Ａで、着脱ボルト２５を締めて長尺座３Ｂの右側の連結ブロック１８に固定する。
（６）最後に、標準座３Ａと長尺座３Ｂの背凭れ５の前面にクッション６を設置して使用状態に戻す。
【００２９】
（連結具、連結方法、離脱方法の他の実施形態）
前記実施形態で示した連結具のボルトによる固定は一例であって、使用者が連結・解除できる方法であれば、ピン形式、はめ込み方式、磁気方式など種々選択できる。連結具の素材もステンレス、鉄、合成樹脂など任意に選定できる。左右前後の連結具の取外し順序や、抜き取り・固定する座の順序も、ここで示したものに限らず任意の順とすることができる。
【００３０】
（実施形態２）
本願発明のシェーズロングタイプソファは、図４に示すように、着座部４と背凭れ５とが独立したものであって分離可能としたものとすることもできる。この場合、標準座３Ａと長尺座３Ｂの配置交換を行う際は、標準座３Ａと長尺座３Ｂの着座部４のみを抜き取って交換すればよい。さらに、背凭れ５を三つの座を通じて一連のものとしておけば、標準座３Ａと標準座３Ａの固定や、標準座３Ａと長尺座３Ｂの固定に際して、これら固定のための連結具を省略することもできる。
【００３１】
（実施形態３）
本願発明のシェーズロングタイプソファは、座−袖連結具７Ａ、座−袖連結具７Ｂ、及び袖−背凭れ連結具８を、右袖２Ｒ又は左袖２Ｌのどちらか一方のみに設けることができる。この場合、標準座３Ａと長尺座３Ｂの配置交換を行う際は、座−袖連結具７Ａ、座−袖連結具７Ｂ、及び袖−背凭れ連結具８が設けられた長尺座３Ｂ側の袖のみを外し、この長尺座３Ｂと標準座３Ａを抜き取って交換すればよい。なおこの場合、連結具が設けられていない他端の袖と標準座３Ａとは固定されており、この標準座３Ａとは配置交換できないため、例えば中央の標準座３Ａと左端の長尺座３Ｂとを配置交換する。よって、固定端側の標準座３Ａと中央の標準座３Ａとは離脱可能となっている。
【００３２】
（実施形態４）
本願発明のシェーズロングタイプソファは、図１１に示すように、標準座３Ａと長尺座３Ｂの足元に車輪２６を備えることもできる。これにより、標準座３Ａと長尺座３Ｂの配置交換を行う作業がさらに容易となる。車輪２６は、ひとつの座に４箇所設けることが望ましいが、３箇所でも５箇所以上でも構わない。また、使用時の安定性を考慮して、車輪にはストッパ機能を有することが望ましい。
【産業上の利用可能性】
【００３３】
本願発明は、前記シェーズロングタイプソファには限られず、各種他のソファや、背凭れと複数の座面を有する各種椅子において、座面の配置の入れ換えが可能なソファや椅子として応用することもできる。
【図面の簡単な説明】
【００３４】
【図１】本願発明シェーズロングタイプソファの実施形態の一例を示す正面図。
【図２】図１に示すシェーズロングタイプソファの平面図。
【図３】図１に示すシェーズロングタイプソファの側面図。
【図４】着座部と背凭れが分離可能なシェーズロングタイプソファの一例を示す側面図。
【図５】袖枠と座が離脱した状態を示す正面図。
【図６】図１から標準座と長尺座を入れ換えした後の配置を示す平面図。
【図７】左右の袖枠を示す詳細図。
【図８】右袖枠と標準座の台輪・背枠の連結を示す詳細図。
【図９】（ａ）は左袖枠と長尺座の台輪・背枠の連結を示す詳細図、（ｂ）は右袖枠と長尺座の台輪・背枠の連結を示す詳細図。
【図１０】座−袖連結具、袖−背凭れ連結具夫々の連結状態を示す詳細図。
【図１１】長尺座が足元に車輪を備えた実施形態を示す側面図。
【符号の説明】
【００３５】
１    ソファ
２Ｒ  左袖
２Ｌ  右袖
３Ａ  標準座
３Ｂ  長尺座
４    着座部
５    背凭れ
６    クッション
７Ａ  座−袖連結具
７Ｂ  座−袖連結具
８    袖−背凭れ連結具
９    袖枠
１０    台輪
１１    背枠
１２    前方縦板
１３Ａ  横板
１３Ｂ  縦板
１４Ａ  着脱ボルト孔
１４Ｂ  固定ボルト孔
１４Ｃ  位置合せ用ボルト孔
１５Ａ  上横板
１５Ｂ  連結板
１５Ｃ  下横板
１６    固定ボルト
１７Ａ  係止板
１７Ｂ  固定板
１８    連結ブロック
１９    雌ネジ
２０Ａ  スプリングワッシャ
２０Ｂ  平ワッシャ
２１    底板
２２    連結プレート
２３    ナット
２４    隅肉溶接
２５    着脱ボルト
２６    車輪
【図１】
2010125197.tif 000003
【図２】
2010125197.tif 000004
【図３】
2010125197.tif 000005
【図４】
2010125197.tif 000006
【図５】
2010125197.tif 000007
【図６】
2010125197.tif 000008
【図７】
2010125197.tif 000009
【図８】
2010125197.tif 000010
【図９】
2010125197.tif 000011
【図１０】
2010125197.tif 000012
【図１１】
2010125197.tif 000013